(57)【要約】      （修正有）【課題】乗客の不注意によりテレビモニタ昇降枠に頭を打ち当てる事故に対する安全確保のための車両用テレビモニタ収納装置の人的衝突安全装置を提供する。【解決手段】テレビモニタ昇降枠２が、回転軸３をもって回転自在に昇降され、ギヤモータ４とその出力軸５に接続されたピニオン６と共に、回転軸には、ラック７１が形成された固定ギヤ７を軸支し、該固定ギヤにピニオンが噛合回転されてテレビモニタ昇降枠を回転昇降し、固定ギヤの外側面には、一定の開度を保った固定ギヤアーム８と停止位置決め板９とが一体化され、該停止位置決め板によってテレビモニタ昇降枠に設けられた停止ピン１０が当接されて、テレビモニタ昇降枠の所定設定開放開度に保持させ、固定ギヤアームと架装枠１とが、該架装枠の側面に付設されたガスダンパー１１を介在して固定ギヤの回動が固定され、大きい衝撃時に、ガスダンパーが作動するテレビモニタ開放安全装置。【選択図】図２
2019023057.tif 000002
【特許請求の範囲】
【請求項１】
車両の天井に取付けられた架装枠の内部にテレビモニタを収納するテレビモニタ昇降枠が、その端部近傍の外側面にある回転軸をもって回転自在に昇降され、該テレビモニタ昇降枠には、その端部にギヤモータとその出力軸に接続されたピニオンを設けると共に、前記回転軸には、半円形状円板の周縁面にラックが形成された固定ギヤを軸支し、該固定ギヤに前記ピニオンが噛合回転されてテレビモニタ昇降枠を回転昇降し、前記固定ギヤの外側面には、同心軸の一定の開度を保った固定ギヤアームと停止位置決め板とが一体化され、該停止位置決め板によってテレビモニタ昇降枠のピニオンの側位置に設けられた停止ピンが当接されて、テレビモニタ昇降枠の所定設定開放開度に保持させ、前記固定ギヤアームと架装枠とが、該架装枠の側面に付設されたガスダンパーを介在して固定ギヤの回動が固定され、大きい衝撃があったときには、ガスダンパーを作動し、それが吸収されることを特徴とするテレビモニタ開放安全装置。
【請求項２】
固定ギヤの外側面には、回転軸の同心軸の一定の開度を保った固定ギヤアームと停止位置決め板とが一体化され、該停止位置決め板によってテレビモニタ昇降枠のピニオン側位置に設けられた停止ピンが当接されて、ピニオンの回転を停止させ、テレビモニタ昇降枠の設定開度に保持させ、前記固定ギヤアームと架装枠とが、該架装枠の側面に付設されたガスダンパーのダンパーロットと前記固定ギヤアームの端部とをピン止めする固定ギヤアームピンをもって継続され、該固定ギヤアームピンが架装枠の側壁に穿設した架装枠内扇状穴に挿通され、平時のテレビモニタ昇降枠が所定設定開放開度にあるときには、固定ギヤアームピンを架装枠内扇状穴の端部に当接維持し、テレビモニタ昇降枠に、その開度が大きく開かれる方向への強制的の強い衝撃を受けた時には、ガスダンパーを作動させて固定ギヤアームピンが架装枠内扇状穴を案内摺動して吸収し、平時状態に戻った際には、固定ギヤアームピンが元の位置に戻され、テレビモニタ昇降枠を設定開度の位置になることを特徴とする請求項１記載のテレビモニタ開放安全装置。
【請求項３】
停止位置決め板によってテレビモニタ昇降枠のピニオン側位置に設けられた停止ピンが当接されて、ピニオンの回転を停止させ、テレビモニタ昇降枠の所定設定開放開度に保持されているときに、強い衝撃を受けて、強制的にその開度が小さくされようとすると、固定ギヤと噛合しているピニオンを逆回転し、常時、弱電流を通電させているギヤモータが逆回転されるので起電力を生じ、強い衝撃がその起電力によりその逆回転を制動することになり、強い衝撃を緩やかに吸収させ、平時に戻った際には、テレビモニタ昇降枠が所定設定開放開度に戻されることを特徴とする請求項１乃至２のいずれか１項記載のテレビモニタ開放安全装置。
【請求項４】
テレビモニタ昇降枠が、その端部近傍の外側面にある回転軸をもって回転自在に昇降され、該テレビモニタ昇降枠には、その前記回転軸より後部のテレビモニタ昇降枠内にギヤモータが設置され、前記回転軸より前部にテレビモニタが収納されることを特徴とする請求項１乃至３のいずれか１項記載のテレビモニタ開放安全装置。
【発明の詳細な説明】
【技術分野】
【０００１】  本発明は、車両等の天井へ収納可能に設けられるテレビモニタ昇降枠が開放降下され、所定設定開放開度状態のときに起る人的衝突を安全にするテレビモニタ開放安全装置に関するものである。
【背景技術】
【０００２】  バス車両等の天井に取付けられた架装枠内に収納自在に形成したテレビモニタ昇降枠がその一辺の両側端部に設けられた回転軸によって連結され、該架装枠内の各両側に固設された直線移動ガイドに沿ってモータ駆動により移動する直線移動板に引上げアームの一端を支承すると共に、その他端を前記テレビモニタ昇降枠の側面に支承する一方、前記回転軸に一端を連結した回転軸アームの他端を前記架装枠の側面に支承した空気圧バネに連結した構成とすることにより、モータ駆動による前記直線移動坂の移動に伴なって前記テレビモニタ昇降枠が前記架装枠に対して略垂直に回動した状態で前記引上げアームが最大トルクを発揮して前記テレビモニタ昇降枠の垂直降下状態を保持する車両用テレビモニタ収納装置があった（特許文献１）。
【先行技術文献】
【特許文献】
【０００３】
【特許文献１】特開２００４−１８２０４９
【発明の概要】
【発明が解決しようとする課題】
【０００４】  天井にテレビモニタ昇降枠を収納するようにしたバス車両等において、乗客が乗降の為、車両内を移動する際には、テレビモニタ昇降枠を天井に収納しているが、車両走行中でも乗客が立ち上がったり、或いは車両停車中にテレビモニタ観賞中の場合にも、立ち上がるなどして、開放降下のテレビモニタ昇降枠に頭をぶつけるなどすることがあった。【０００５】  元来、車両用テレビモニタ収納装置は、車内の乗客が、乗降時や車内移動時に、開放降下されたテレビモニタ昇降枠に打ち当たり、怪我をしたりしないよう安全確保の為に設けられたものであったが、しかし、乗客の不注意によりテレビモニタ昇降枠に頭を打ち当てる事故が起り、そこで、安全確保の為に、車両用テレビモニタ収納装置に人的衝突安全装置が必須となった。【０００６】  ところが、従来の車両用テレビモニタ収納装置では、テレビモニタ昇降枠を所定の開放開度に設定された所定開放停止で確実に停止させるようにするには、位置センサーや数値制御で駆動するステッピングモータを組み合わせる構成にしなければならなかった。
また、所定設定開放開度にテレビモニタ昇降枠が開放降下されているときに、打ち当るなどの衝突で、規定開放位置設定機構部品が変形や破損されるので不都合になる。そこで、衝撃緩衡するには、テレビモニタ昇降枠を前後移動するような機構が必要となり、位置ずれを発生した前後方向の向きと、距離を戻して所定設定開放開度にしなければならない。
その為、所定設定開放開度位置並びに衝撃移動位置を確認するための電気的感知部品（ロータリーエンコーダなど）と制御回路が必要になって、電気配線、電子部品、組立工数、そのための費用発生などがあり、その後の保守点検整備も専門的な知識が必要となる。
【課題を解決するための手段】
【０００７】  本発明のテレビモニタ開放安全装置は、車両の天井に取付けられた架装枠の内部にテレビモニタを収納するテレビモニタ昇降枠が、その端部近傍の外側面にある回転軸をもって回転自在に昇降され、該テレビモニタ昇降枠には、その端部にギヤモータとその出力軸に接続されたピニオンを設けると共に、前記回転軸には、半円形状円板の周縁面にラックが形成された固定ギヤを軸支し、前記固定ギヤの外側面には、同心軸の一定の開度を保った固定ギヤアームと停止位置決め板とが一体化され、該停止位置決め板によってテレビモニタ昇降枠のピニオンの側位置に設けられた停止ピンが当接されて、テレビモニタ昇降枠の所定設定開放開度に保持させ、前記固定ギヤアームと架装枠とが、該架装枠の側面に付設されたガスダンパーを介在して固定ギヤの回動が固定され、大きい衝撃があったときには、ガスダンパーを作動し、それが吸収されることを特徴とするものである。【０００８】  本発明のテレビモニタ開放安全装置は、固定ギヤの外側面には、回転軸の同心軸の一定の開度を保った固定ギヤアームと停止位置決め板とが一体化され、該停止位置決め板によってテレビモニタ昇降枠のピニオン側位置に設けられた停止ピンが当接されて、ピニオンの回転を停止させ、テレビモニタ昇降枠の所定設定開度に保持させ、前記固定ギヤアームと架装枠とが、該架装枠の側面に付設されたガスダンパーのダンパーロッドと前記固定ギヤアームの端部とをピン止めする固定ギヤアームピンをもって継続され、該固定ギヤアームピンが架装枠の側壁に穿設した架装枠内扇状穴に挿通され、平時のテレビモニタ昇降枠が所定設定開放開度にあるときには、固定ギヤアームピンを架装枠内扇状穴の端部に当接維持し、テレビモニタ昇降枠に、その開度が大きく開かれる方向への強制的の強い衝撃を受けた時には、ガスダンパーを作動させて固定ギヤアームピンが架装枠内扇状穴を案内摺動して吸収し、平時状態に戻った際には、固定ギヤアームピンが元の位置に戻され、テレビモニタ昇降枠を所定設定開放開度の位置にするものである。【０００９】  本発明のテレビモニタ開放安全装置は、停止位置決め板によってテレビモニタ昇降枠のピニオンの側位置に設けられた停止ピンが当接されて、ピニオンの回転を停止させ、テレビモニタ昇降枠の所定設定開放開度に保持されているときに、強制的にその開度が小さくされる強い衝撃を受けて固定ギヤと噛合しているピニオンを逆回転し、常時、弱電流を通電させているギヤモータが逆回転されるので起電力を生じ、強い衝撃がその起電力によりその逆回転を制動することになり、強い衝撃を緩やかに吸収させ、平時に戻った際には、テレビモニタ昇降枠が所定設定開放開度に戻されるものである。【００１０】  本発明のテレビモニタ開放安全装置は、テレビモニタ昇降枠が、その端部近傍の外側面にある回転軸をもって回転自在に昇降され、該テレビモニタ昇降枠には、その前記回転軸より後部のテレビモニタ昇降枠内にギヤモータが設置され、前記回転軸より前部にテレビモニタが収納されるものである。
【発明の効果】
【００１１】  従来のテレビモニタ収納装置は、テレビモニタ昇降枠を所定設定開放開度位置に停止させるには、位置センサーや数値制御で駆動するステッピングモータなどを組込まねばならなかったが、本発明のテレビモニタ開放安全装置では、単に、テレビモニタ昇降枠の端部に設けたギヤモータと、その出力軸に接続されたピニオンと前記テレビモニタ昇降枠の端部近傍の外側面にある回転軸に軸支する半円形状円板の固定ギヤとの噛合回転と、回転軸の同心軸の停止位置決め板にテレビモニタ昇降枠のピニオン側位置に設けられた停止ピンが当接されることとで達成でき、簡単な機構で簡素化でき、よって、軽量化を齎すことができる。そして、車軸重量が決まっているので、搭載部品の重量軽減が至上課題になっているバス、トラック分野では、重量軽減できることは、望ましいことになる。【００１２】  本発明のテレビモニタ開放安全装置は、降下したテレビモニタ昇降枠に頭をぶつけるなどして、所定設定開放開度位置より更に開度を大きくするような強い衝突があった場合には、ガスダンパーが作用して、それを吸収でき、また、所定設定開放開度位置より開度を小さくするような強い衝突があった場合には、常時、弱電流が通電されているギヤモータの逆回転に対する制動によりそれを吸収するために、怪我などをする事故にならず、また、簡素のガスダンパー、ギヤモータであるにも係らず、テレビモニタ昇降枠の所定設定開放開度位置のずれ、及びそのずれに対する修正を改めて施す必要がなく、好都合である。
また、ガスダンパー、ギヤモータを使用したこの機構は、従来のように、移動ずれや、修正のために、特別な電気回路や位置センサーを用いることなく、簡単な機構の為、安定的に機能し、且つ長期間の保守メンテナンスに特別な知識がなくても可能になる。【００１３】  本発明のテレビモニタ開放安全装置は、テレビモニタ昇降枠が、その端部近傍の外側面にある回転軸をもって回転自在に昇降され、該テレビモニタ昇降枠には、その前記回転軸より後部のテレビモニタ昇降枠内にギヤモータが設置され、前記回転軸より前部にテレビモニタが収納されることによって、これらの重量で、テレビモニタ昇降枠の架装枠への上昇収納時に生ずる回転モーメントを軽減する効果と、車両の上下振動でテレビモニタ昇降枠が下がるモーメントを減らし、テレビモニタ昇降枠の重量を回転軸に掛かる割合が多くなるが、架装枠の剛性を高める必要なく、結果的には、装置全体の重量を軽減出来ることになる。
【図面の簡単な説明】
【００１４】
【図１】  テレビモニタ開放安全装置の架装枠内にテレビモニタ昇降枠を収納した状態図である。
【図２】  テレビモニタ昇降枠を架装枠内に収納した場合におけるピニオン、固定ギヤ、及び停止ピンの状態図である。
【図３】  テレビモニタ昇降枠を所定設定開放開度位置に回転開放した状態図である。
【図４】  テレビモニタ昇降枠を所定設定開放開度位置に回転開放した、その架装枠の覆いを外した状態図である。
【図５】  テレビモニタ昇降枠を所定設定開放開度位置に回転開放した内部方向から見たテレビモニタ開放安全装置の状態図である。
【図６】  テレビモニタ昇降枠を所定設定開放開度位置に回転開放する機構の状態図である。
【図７】  テレビモニタ昇降枠を所定設定開放開度位置へ移動中の状態図である。
【図８】  テレビモニタ昇降枠を所定設定開放開度位置へ移動中の機構状態拡大図で
【図９】  テレビモニタ昇降枠が所定設定開放開度位置から開度を大きく開かれる方向への強制的に強い衝撃を受けたときの状態図である。
【図１０】  テレビモニタ昇降枠が所定設定開放開度位置から開度を大きく開かれる方向への強制的に強い衝撃を受けたときのテレビモニタ開放安全装置の状態図である。
【図１１】  テレビモニタ昇降枠が所定設定開放開度位置から開度を小さく閉じられる方向への強制的に強い衝撃を受けたときの状態図である。
【図１２】  テレビモニタ昇降枠が所定設定開放開度位置から開度を小さく閉じられる方向への強制的に強い衝撃を受けたときのテレビモニタ開放安全装置の状態図である。
【発明を実施するための形態】
【００１５】  本発明のテレビモニタ開放安全装置は、車両の天井に取付けられた架装枠の内部にテレビモニタを収納するテレビモニタ昇降枠が回転軸をもって回転昇降されるものである。
図１乃至図２の状態図は、架装枠１の内部にテレビモニタ昇降枠２が収納されているものである。
図３乃至図６の状態図は、架装枠１からテレビモニタ昇降枠２が所定設定開放開度位置に回転降下されたものである。
図７乃至図８の状態図は、架装枠１からテレビモニタ昇降枠２が所定設定開放開度位置へ回転降下する移動中を示すものである。
【００１６】  本発明のテレビモニタ開放安全装置は、図２、図６、及び図８に示す如く、架装枠１の内部にテレビモニタ２０を収納するテレビモニタ昇降枠２が、その端部近傍の外側面にある回転軸３をもって回転自在にして昇降され、該テレビモニタ昇降枠は、その端部にギヤモータ４とその出力軸５に接続されたピニオン６を設けると共に、前記回転軸３には、半円形状円板の周縁面にラック７１が形成された固定ギヤ７を軸支し、該固定ギヤに前記ピニオン６が噛合回転されてテレビモニタ昇降枠２を回転昇降されるものである。
【００１７】  固定ギヤ７の外側面には、テレビモニタ昇降枠２の回転軸３と同心軸の一定の開度を得た固定ギヤアーム８と停止位置決め板９とが一体化され、図６に示す如く、該停止位置決め板９によって、テレビモニタ昇降枠２の端部に設けられたピニオン６による前記固定ギヤ７との噛合回転で回転するテレビモニタ昇降枠２をその回転軸３近傍に設けた停止ピン１０を当接させ、ピニオン６の回転を停止させ、テレビモニタ昇降枠２の所定設置開放開度に保持させることになる。
【００１８】  固定ギヤアーム８と架装枠１とが、該架装枠の側面に付設されたガスダンパー１１のダンパーロッド１１１と前記固定ギヤアーム８の端部とをピン止めする固定ギヤアームピン１２をもって継続され、該固定ギヤアームピンが架装枠１の側壁に穿設した架装枠内扇状穴１３に挿通されてなるものである。よって、図３乃至図６に示す如く、平時のテレビモニタ昇降枠２が所定設定開放開度にあるときには、固定ギヤアームピン１２を架装枠内扇状穴１３の端部に当接維持し、図９及び図１０に示す如く、テレビモニタ昇降枠２に、その開度が大きく開かれる方向への強制的の強い衝撃を受けたときには、ガスダンパー１１を作動させて固定ギヤアームピン１２が架装枠内扇状穴１３を案内摺動してそれを緩やかに吸収する。
そして、平時状態に戻った際には、固定ギヤアームピン１２が元の架装枠内扇状穴１３の端部に当接維持させている位置に戻され、テレビモニタ昇降枠２を所定設定開放開度の位置になる。
なお、因みに、所定設定開放開度は、１００度で、大きく開かれる方向への強制的の強い衝撃の開度は、１３５度である。
また、架装枠内扇状穴の長さは、開度  １００〜１３５度の長さである。
【００１９】  また、停止位置決め板９によって停止ピン１０が当接されて、ピニオン６の回転を停止させ、テレビモニタ昇降枠２の所定設定開放開度に保持されていても、図１１及び図１２に示す如く、強い衝撃を受けて強制的にその開度が小さくされるときには、固定ギヤ７と噛合しているピニオン６を逆回転し、常時、弱電流を通電させているギヤモータが逆回転されるので起電力を生じ、強い衝撃がその起電力によりその逆回転を制動することになり、強い打撃を緩やかに吸収させることになる。
そして、平時に戻った際には、テレビモニタ昇降枠２が所定設定開放開度に戻されることになる。
【００２０】  車両の天井に取付けられた架装枠１の内部にテレビモニタ昇降枠２が収納されている場合には、図１及び図２で示す如く、テレビモニタ昇降枠２の端部に設けられたピニオン６が固定ギヤ７のラック７１と噛合された状態で停止されている。
そこで、テレビモニタ昇降枠２を開放降下するため、ピニオン６が固定ギヤ７に噛合回転されると、図６及び図７に示す如く、途中過程では、テレビモニタ昇降枠の回転軸３近傍にある停止ピン１０も回転する。
ピニオン６が固定ギヤ７との噛合回転でテレビモニタ昇降枠２を開放降下させると、図３乃至図６に示す如く、該テレビモニタ昇降枠２に設けた停止ピン１０が、固定ギヤ７に一体化された停止位置決め板９に当接され、ピニオン６の回転を停止させる。この停止位置決め板９に当接される位置を所定設定開放開度とし、この開度がテレビモニタ２０の観賞を最もし易い開度となる。
そして、所定設定開放開度は、停止位置決め板９を固定ギヤ７に一体化するときに所定設定させ、ピニオン６の回転による押圧で停止ピン１０を停止位置決め板９に当接させるその押圧と、架装枠１の側面に付設されたガスダンパー１１の架装枠１の側壁に穿設された架装枠内扇状穴１３の端部に当接させる押圧とが均衡されるようになり、維持される。
そこで、所定設定開放開度位置にあるテレビモニタ昇降枠２を架装枠１に収納する場合には、クラッチ（図示せず）を操作してピニオン６が逆回転されれば、実施できることになる。
【００２１】  図９及び図１０に示す如く、所定設定開放開度位置にあるテレビモニタ昇降枠２に頭などをぶつけ、開度を大きく開く方向への強制的強い衝撃を受けたときには、ピニオン６による押圧とガスダンパー１１による押圧との均衡が破られ、テレビモニタ昇降枠２への強い押圧を停止ピン１０の停止位置決め板９への当接だけでは受け入れることができず、ガスダンパー１１のダンパーロッド１１１と固定ギヤ７に一体化された固定ギヤアーム８の端部とをピン止めする固定ギヤアームピン１２で継続され、該固定ギヤアームピン１２が、架装枠１の側壁に穿設された架装枠内扇状穴１３の端部への当接から案内摺動して、ガスダンパー１１の引圧で吸収する。該ガスダンパー１１の引圧で固定ギヤアーム８を引っ張り、固定ギヤ７が回転されることになる。
そして、平時状態に戻った際には、停止ピン１０の停止位置決め板９への押圧と、固定ギヤアームピン１２の架装枠内扇状穴１３端部への当接によるガスダンパー１１の押圧との均衡に基づき、修正をせずに元の位置に戻すことができることになる。
【００２２】  強い衝撃を受け、強制的にテレビモニタ昇降枠２の開度が小さくされる場合には、図１１及び図１２に示す如く、ピニオン６の逆回転による後退が、常時、弱電流を通電しているギヤモータ４をも逆回転させ、逆回転による制動が強い衝撃を緩やかに吸収させることになる。
【符号の説明】
【００２３】    １      架装枠
２      テレビモニタ昇降枠
２０    テレビモニタ
３      回転軸
４      ギヤモータ
５      出力軸
６      ピニオン
７      固定ギヤ
７１    ラック
８      固定ギヤアーム
９      停止位置決め板
１０    停止ピン
１１    ガスダンパー
１１１  ダンパーロッド
１２    固定ギヤアームピン
１３    架枠内扇状穴
【図１】
2019023057.tif 000003
【図２】
2019023057.tif 000004
【図３】
2019023057.tif 000005
【図４】
2019023057.tif 000006
【図５】
2019023057.tif 000007
【図６】
2019023057.tif 000008
【図７】
2019023057.tif 000009
【図８】
2019023057.tif 000010
【図９】
2019023057.tif 000011
【図１０】
2019023057.tif 000012
【図１１】
2019023057.tif 000013
【図１２】
2019023057.tif 000014